(57)【特許請求の範囲】
【請求項１】
車体に一体的に取り付けられる自転車錠であって、器体の一端に施錠機構を備え、施錠機構の内端に突出する角軸に回転レバーを嵌合し、該レバーの内端に設けた支持軸に長円形の軸孔を嵌合させて、上記器体の他端に達する適宜長の閂杆を同軸上に揺動自在に取り付け、上記回転レバーと閂杆との間に、偏心軸と長孔との係合により両部材を互いに一体に回転させるようにした連動機構を設けるとともに、上記閂杆を常時開錠方向に付勢するばねを備え、該付勢ばねに抗して前記回転レバーを所定の角度に回転させることにより、上記閂杆を施錠位置に変位させた後に上記支持軸と長円形の軸孔とに誘導させて施錠位置に変位した閂杆を前進させて、器体の他端に備えた断面環状の施錠部内に先端部を嵌入させて閂杆を保持させるように構成した自転車錠。
【請求項２】
前記回転レバーは、前記施錠機構に挿入されたキーの施錠操作による前記角軸の回転に従動して前記閂杆を施錠位置に変位させるか、または、回転レバーの一側に先端を前記器体外に突出させた操作レバーを一体に設けて、該操作レバーの回動により閂杆を施錠位置に変位させるようにしたことを特徴とする請求項１記載の自転車錠。
【請求項３】
前記回転レバーは、前記器体内に挿入されて、スタンドの起立、倒伏に従動して摺動するワイヤーを連結され、スタンドの起立とともに前記閂杆を施錠位置に変位させるようにしたことを特徴とする請求項１記載の自転車錠。
【請求項４】
前記スタンドは、スタンドの支点軸、牽引ばね等を備えた基盤部の適宜位置に形成した斜面部と掛止段部とを有するセーフティ機構に倒伏位置を掛止されて、前記自転車錠の非使用時に開錠状態を保持するようにしたことを特徴とする請求項３記載の自転車錠。
【発明の詳細な説明】
【０００１】
【産業上の利用分野】
本発明は、Ｕ字形の器体の一端に揺動型の閂杆を備えた自転車錠に関し、閂杆の施錠状態を強固に保持できるようにしたことを特長とする自転車用錠に関する。
【０００２】
【従来の技術】
自転車のタイヤを跨ぐようにして取り付けられるサークル型の自転車錠は、一般には器体の両端に筒形の開口部を備えた円弧形に形成され、同じく円弧形の閂杆を摺動自在に内蔵させて上記開口部間を出入させるようにしているが、例えば本出願人の先願  特願２０００−３７８５３９号「スタンドの起立動作に連動する自転車用錠」のように、施錠機構を設けたＵ字形の器体の一端に揺動型の閂杆を備えたものがある。
【０００３】
【発明が解決しようとする課題】
閂杆を揺動型にした自転車錠は、閂杆の先端部の嵌入を許容するために、器体の他端に設ける施錠部の一側面を開放してＵ字形溝に形成する必要があった。そのため、閂杆の先端部が施錠位置に露呈して外見上から開錠し易いように見えるという欠点があった。
本発明は、上記のような欠点を除去して、器体の一端に揺動型の閂杆を備えた自転車錠をより強固に形成して安全な使用を促進できるようにすることを課題とするものである。
【０００４】
【課題を解決するための手段】
上記の課題を解決する手段として本発明は、車体に一体的に取り付けられる自転車錠であって、器体の一端に施錠機構を備え、施錠機構の内端に突出する角軸に回転レバーを嵌合し、該レバーの内端に設けた支持軸に長円形の軸孔を嵌合させて、上記器体の他端に達する適宜長の閂杆を同軸上に揺動自在に取り付け、上記回転レバーと閂杆との間に、偏心軸と長孔との係合により両部材を互いに一体に回転させるようにした連動機構を設けるとともに、上記閂杆を常時開錠方向に付勢するばねを備え、該付勢ばねに抗して前記回転レバーを所定の角度に回転させることにより、上記閂杆を施錠位置に変位させた後に上記支持軸と長円形の軸孔とに誘導させて施錠位置に変位した閂杆を前進させて、器体の他端に備えた断面環状の施錠部内に先端部を嵌入させて閂杆を保持させるように構成した自転車錠を提供するものである。
【０００５】
上記のように構成した本発明自転車錠は、施錠位置に変位した閂杆を施錠のための旋回の終端部で前進させて環状断面を有する施錠部内に保持させるようにしたので、施錠状態では閂杆の先端部が閉塞され、外見上に見えなくなり、揺動型の閂杆を備えた自転車錠を妄りに開錠されることが防止できるようになる。
【０００６】
また、回転レバーを、施錠機構に挿入するキーの回転操作によって、閂杆を施錠状態に変位させるか、または、先端を器体外に突出させた操作レバーを回転レバーの一側に延設して、該操作レバーの回動により閂杆を施錠状態に変位させるようにした請求項２の発明は、本発明が、前記先願のようにスタンドの起立に従動させて施錠させる場合のみに限られるものではなく、単独の自転車錠として採用できることを示すものである。
【０００７】
自転車錠内に備えられた回転レバーに、スタンドの起立、倒伏に従動して往復摺動するワイヤーの端部を連結して、スタンドの起立とともに閂杆を施錠状態に変位させるようにした請求項３の発明は、前記先願の欠点を除去してスタンドの起伏に連動する閂杆揺動型の自転車錠を更に安全にかつ簡便に簡単に使用できるようにしたものである。
【０００８】
上記スタンドの支点軸と牽引ばね等を備えた基盤部の適宜位置に、斜面部と掛止段部とからなるセーフティ機構を設けて、スタンドの倒伏位置を掛止させるようにした請求項４の発明は、本発明自転車錠をスタンドの起伏に連動させるようにした場合における、非使用時の開錠状態をより安全に保持させることによって、走行時の振動などにより閂杆が施錠位置に変位する等の不測の事態を防止できるようにしたものである。
【０００９】
【実施例】
以下に本発明の実施例を図面について説明する。
図１は、本発明の実施例１をその作動と共に示す一部切欠正面図、図２は、実施例２の分解斜視図、図３は、実施例２の開錠状態における一部切欠正面図、図４は、実施例２の施錠途中を示す一部切欠正面図、図５は、実施例２の施錠状態の一部切欠正面図、図６は施錠機構部分における一部切欠拡大立面図、図７は、実施例２の使用状態を示す一部切欠斜視図である。
【００１０】
図面に示す実施例１、２は、いずれも本発明に係る閂杆揺動型の自転車錠を自転車の後ホークに跨がせて取り付けられるサークル錠に採用した場合のものであるが、本発明自転車錠はサークル錠のみに限らず、施錠機構および閂杆を取り付けた器体本体と施錠部を備えた部材とを分離して取り付ける場合もある。また、後輪用の錠に限らず前輪錠にも採用できる。
【００１１】
図において、１は、図２に示すように上下に分離して形成したベース部材ａとカバー部材ｂを合体させて中空でＵ字形をなす器体、２は、上面に鍵穴３を臨ませて器体１の一端（図示左側）に付設されるシリンダー錠型の施錠機構、４は、施錠機構２の内端に突出して鍵穴３に差し込まれるキー５と一体に回転する角軸、６は、角軸４を嵌合して、施錠作動時、開錠作動時に角軸４と共に回転する回転レバー、７は、回転レバー６の内端（裏面）に一体形成した支持軸８に長円形に形成した軸孔９を嵌合させて揺動自在に備えられる閂杆、１０は、回転レバー６側から垂下した偏心軸１０ａと閂杆７側に設けた長孔１０ｂとからなり、互いに同軸上に備えられた回転レバー６と閂杆７を常時一体回転させるように備えた連結機構、１１は、閂杆７を常時開錠方向（図示反時計回り）に付勢するばねである。
【００１２】
閂杆７は、上記のように長円形の軸孔９を回転レバー６側の支持軸８に嵌合して揺動自在に備えられ、開錠時には器体１の一側（図示左側）に沿って起立し、施錠時には回転レバー６の回転と共に揺動して、開口している器体１の左側内側面１’から臨出し、タイヤを挟んで器体１の他端に備えた施錠部１２内に達する適宜の長さを有する。
【００１３】
施錠部１２は、揺動してくる閂杆７の先端部７’を受け入れるように側面を開放した溝形部１２ａと、その奥に断面ロ字形に周囲を閉塞した環状部１２ｂとで構成されている。
【００１４】
図１に示す実施例１は、手動で閂杆７を施錠操作するようにしたもので、回転レバー６の一側から延設されて器体１の側面に設けた開口部１３から突出させた操作レバー１４を所定角度（θ１）回すことによって、虚線位置（開錠位置）に起立していた閂杆７を実線で示す施錠位置に変位させる。
この操作角度位置で、閂杆７は、施錠部１２の溝形部１２ａ内に先端部７’を上か嵌入させ、同時に長円形の軸孔１５の軸線を施錠部１２の方向にほぼ一致させる。更に操作レバー１４を順方向に所定角度（θ２）回すことにより、閂杆７は、偏心軸１０ａと長孔１０ｂとからなる連結機構１０の回動と共に前進して、施錠部１２の奥の環状部１２ｂ内に先端部７’を嵌入させ、施錠状態を完全に保持される。
実施例１において、操作レバー１４の形状と器体１に付設する位置は、図示の態様に限定されるものではなく、例えば、回転レバー６との間にリンクモーションを介在させるなどして作動させるように設計変更する場合もある。
【００１５】
次に、図２〜７に示す実施例２について説明する。
実施例２は、自転車に取り付けた錠をスタンドの起伏に連動させるようにした場合のもので、図中１５は、一端１５ａをスタンド１６のレバー部１６’に固定し、器体１を挿通させた他端１５ｂを回転レバー６に固定して、スタンド１６の起伏と共に摺動して、閂杆７の開閉動作を連動させるワイヤーである。
【００１６】
スタンド１６を、図７中に虚線で示すように水平方向に倒して、自転車１７を走行可能の状態にしているとき、閂杆７は、ばね１１に付勢されて図３に示すように起立していて開錠状態にある。そして、自転車１７を停めてスタンド１６を起立させると、スタンド１６の回転によりワイヤー１５が牽引されて回転レバー６と閂杆７が図示時計回りに回転する。その回転がほぼ８０°進むと、図４に示すように揺動した閂杆７が施錠部１２の溝形部１２ａに嵌合し、同時に長円形の軸孔９も施錠方向に軸線を平行させる。
【００１７】
そして、更にスタンド１６が起立位置へ達するまでの回転により回転レバー６の回転が継続すると、前記実施例１の場合と同様に、閂杆７は支持軸８と長円形の軸孔９とによる誘導と、偏心軸１０ａと長孔１０ｂとからなる連結機構１０の回動とにより前進して、図５に示すように先端部７’を施錠部１２の環状部１２ｂ内に嵌入させて完全な施錠状態に保持される。
【００１８】
上記のようにして、スタンド１６の起立に閂杆７を連動させるようにした実施例２は、自転車１７の走行中の振動とかバウンドにより、スタンド１６が振れてワイヤー１５が摺動すると、施錠機構２のロックとばね１１の付勢に抗して閂杆７に揺動を生じて、閂杆７がタイヤの間に入り込んだり、施錠されたりする危険がある。
【００１９】
このような不測の事態を回避するために、本発明は、図７に示すように、スタンド１６の支点軸１８、スタンド１６の牽引ばね１９等を取り付けた基盤部２０の一側に、斜面部２１ａと段部２１ｂとで形成したセーフティ機構２１を付設し、スタンド１６を水平方向に倒して、自転車１７を走行可能の状態にしているときに、上記段部２１ｂにスタンド１６を掛止させ、不用意に閂杆７の揺動が起きないようにしている。
【００２０】
上記のようにして閂杆７を施錠状態に保持するようにした実施例１、２の開錠は、鍵穴３にキー５を係合させて施錠機構２のロックを解除し、操作レバー１４またはスタンド１６を施錠時とは逆に回転させることによって行われる。
すなわち、実施例１においては、施錠時に抜き出しておいたキー５を鍵穴３に差し込み、施錠機構２のロックを解除し、付勢ばね１１に付勢させつつ、操作レバー１４を（θ２）から（θ１）へ逆回転させ、閂杆７の先端部７’を施錠部１２から脱出させた後開錠位置に復帰させる。また、実施例２においては、スタンド１６を水平方向に倒してワイヤー１５の牽引を解除し、閂杆７の先端部７’を摺動させることによって、実施例１と同様に閂杆７の復帰を行う。
【００２１】
上記のようにして閂杆７を復帰させた場合に、鍵穴３に差し込まれているキー５は、携行可能に抜き出せるようにすることは、シリンダー式錠前を用いた従来の自転車錠の場合と同様である。
【００２２】
なお実施例１、２において、付勢ばね１１の可動側の端部１１ａは偏心軸１０ａの側面にばね受けされ、固定側の端部１１ｂは器体１の内側面に設けたばね受け部２２に掛止されている。
また、図中２３は、閂杆７の側面に鉤形に垂下した係合片２４と係合して支持軸８を中心とする閂杆７の回転をガイドし、閂杆７が前進する時はその係合を外して施錠部１２内部への嵌入を許容するようにしたガイド凸条である。
【００２３】
なお、図中、２５ａ、２５ｂは自転車錠の取付け金具である。
【００２４】
本発明の実施に際して、器体１の形状と、回転レバー６と閂杆７の形状ならびに連結機構１０の構造は、実施例に示す形態に限られるものではなく、本発明の要旨に沿って適宜に設計変更することができることはいうまでもない。
【００２５】
【発明の効果】
前記のように構成され上記のように用いられるようにした本発明によれば、揺動型の閂杆を備えた自転車用錠の施錠状態がより強固になり、かつ、先端部が施錠部内に閉塞されて開錠され難くなる。従って盗難予防効果が向上する一方で、使用者に安心感を与えることができるなど、きわめて有用である。
【図面の簡単な説明】
【図１】図１は、実施例１の一部切欠正面図
【図２】図２は、実施例２の分解斜視図
【図３】図３は、実施例２の一部切欠正面図
【図４】図４は、実施例２の一部切欠正面図
【図５】図５は、実施例２の一部切欠正面図
【図６】図６は、錠機構部分における一部切欠拡大側面図
【図７】図７は、実施例２の使用状態を示す一部切欠斜視図である。
【符号の説明】
１  器体  （ａ  ベース部材、ｂ  カバー部材、１’  内側面部）
２  施錠機構
３  鍵穴
４  角軸
５  キー
６  回転レバー
７  閂杆  （７’  先端部）
８  支持軸
９  長円形の軸孔
１０  連結機構  （１０ａ  偏心軸、１０ｂ  長孔）
１１  ばね
１２  施錠部  （１２ａ  溝形部、１２ｂ  環状部）
１３  開口部
１４  操作レバー
１５  ワイヤー  （１５ａ  一端、１５ｂ  他端）
１６  スタンド  （１６’  レバー部）
１７  自転車
１８  支点軸
１９  牽引ばね
２０  基盤部
２１  セーフティ機構  （２１ａ  斜面部、２１ｂ  段部）
２２  ばね受け
２３  ガイド凸条
２４  係合片
２５ａ、２５ｂ  取付け金具
【図１】
0004556053.tif 000002
【図２】
0004556053.tif 000003
【図３】
0004556053.tif 000004
【図４】
0004556053.tif 000005
【図５】
0004556053.tif 000006
【図６】
0004556053.tif 000007
【図７】
0004556053.tif 000008